(57)【要約】【課題】管理拠点側のホストコンピュータから１つの回線を用いて複数の画像形成装置のデータを送受信する場合の通信時間及び通信費用の削減を可能にするデータ通信装置を提供する。【解決手段】遠隔地の管理装置と通信を行う第１の通信手段と、複数の被管理装置と通信を行う第２の通信手段と、第１の通信手段を介して管理装置から被管理装置の制御データ及び制御データが送信されるべき被管理装置を表す識別データを受信し、識別データに基づいた被管理装置へ制御データを第２の通信手段を介して送信する送信手段と、制御データに基づいた被管理装置の管理データを受信する受信手段と、管理データを記憶する記憶手段とを有し、複数の被管理装置の管理データを第１の通信手段で管理装置へまとめて送信するようにした。【選択図】　　　　図１
2004080495.tif 000002
【特許請求の範囲】
【請求項１】
管理装置から、被管理装置を制御するための制御データと、前記制御データが送信されるべき被管理装置を表す複数の識別データとを受信する手段と、
複数の前記識別データのそれぞれが表す被管理装置へ前記制御データを送信する手段と、
送信した前記制御データに対して応答された管理データを複数の被管理装置から受信する手段と、
受信した複数の被管理装置からの前記管理データを前記管理装置へ一括して送信する手段とを備えたことを特徴とするデータ通信装置。
【請求項２】
前記識別データと、当該識別データが表す被管理装置から受信した前記管理データとを対応づけて、前記管理装置へ送信することを特徴とする請求項１記載のデータ通信装置。
【請求項３】
前記制御データを被管理装置へ送信する手段と、前記管理データを被管理装置から受信する手段は、無線通信手段で構成したことを特徴とする請求項１或いは２記載のデータ通信装置。
【請求項４】
画像を形成する複数の画像形成装置と、該画像形成装置と通信を行うデータ通信装置と、該データ通信装置と公衆回線を介して接続された管理装置とを備えた画像形成システムにおいて、
前記データ通信装置は、
前記管理装置と通信を行う第１の通信手段と、
前記複数の画像形成装置と通信を行う第２の通信手段と、
前記第１の通信手段を介して前記管理装置から、前記画像形成装置の制御データと該制御データが送信されるべき画像形成装置を表す識別データとを受信し、前記識別データに対応した画像形成装置へ前記制御データを前記第２の通信手段を介して送信する手段と、
前記送信した制御データに基づいた画像形成装置の管理データを受信する手段と、
前記受信した複数の画像形成装置の管理データを前記第１の通信手段を介して前記管理装置へ一括して送信する手段とを備えたことを特徴とする画像形成システム。
【請求項５】
前記第２の通信手段は、無線通信手段で構成したことを特徴とする請求項４記載の画像形成システム。
【請求項６】
管理装置から、被管理装置の制御データと該制御データが送信されるべき被管理装置を表す識別データとを受信し、その識別データに対応した被管理装置へ前記制御データを送信する行程と、
前記送信した制御データに基づいた被管理装置の管理データを受信する行程と、
前記受信した複数の被管理装置の管理データを前記管理装置へ一括して送信する行程とを有することを特徴とするデータ通信方法。
【請求項７】
コンピュータで実行可能な制御プログラムであって、
管理装置から、被管理装置の制御データと該制御データが送信されるべき被管理装置を表す識別データとを受信し、その識別データに対応した被管理装置へ前記制御データを送信するステップと、
前記送信した制御データに基づいた被管理装置の管理データを受信するステップと、
前記受信した複数の被管理装置の管理データを前記管理装置へ一括して送信するステップとを有することを特徴とする制御プログラム。
【発明の詳細な説明】
【０００１】
【発明の属する技術分野】
本発明は、管理装置と被管理装置とのデータ通信を行うデータ通信装置等に関する。
【０００２】
【従来の技術】
近年、管理拠点側のホストコンピュータから公衆回線を介して複数台の画像形成装置とデータの通信を行って管理を行うシステムが提供されているが、多数の画像形成装置を設置している会社などの場合、費用の点から画像形成装置ごとに電話回線を設置するのではなく、複数台の画像形成装置を１台の通信装置（以下、集中管理装置と呼ぶ）に接続し、集中管理装置から１本の電話回線で中央の管理拠点に接続してデータ通信を行うものがある。
【０００３】
しかし、集中管理装置は単なる交換機として機能するのみであり、管理拠点側のホストコンピュータから集中管理装置を経由して各画像形成装置にデータを送信しようとする場合、同一データであるにも関わらず、その都度各々の画像形成装置に対して回線を接続してデータを送信しなければならず、通信時間及び回線費用の点からも不経済であった。
【０００４】
この問題に関しては、特開平７−２２１８６４号公報には、ホストコンピュータからの制御データを集中管理装置へまとめて送信できる装置が提案されている。
【０００５】
【発明が解決しようとする課題】
しかしながら、上記従来の公報の技術では、制御データに対応する画像形成装置の管理データは、各々の画像形成装置からホストコンピュータに対して回線を接続してデータを送信しなければならなかった。
【０００６】
また、特に無線を用いた画像形成装置管理システムでは、電波状態によって無線回線が接続できないことやデータ送信中に電波状態が悪化し無線回線が切断したりする等の問題があり、各画像形成装置からホストコンピュータへ効率良くデータを送信することは困難であった。
【０００７】
本発明は上記従来の問題点に鑑み、遠隔地のホストコンピュータから１つの回線を介して所望の複数の被管理装置へまとめて制御データを送信することが可能であると共に、複数の被管理装置からホストコンピュータへまとめて管理データを送信することも可能であり、また電波状態に左右されることなくホストコンピュータと被管理装置とのデータ通信を円滑に行うことが可能なデータ通信装置等を提供することを目的とする。
【０００８】
【課題を解決するための手段】
上記目的を達成するために、本発明のデータ通信装置では、管理装置から、被管理装置を制御するための制御データと、前記制御データが送信されるべき被管理装置を表す複数の識別データとを受信する手段と、複数の前記識別データのそれぞれが表す被管理装置へ前記制御データを送信する手段と、送信した前記制御データに対して応答された管理データを複数の被管理装置から受信する手段と、受信した複数の被管理装置からの前記管理データを前記管理装置へ一括して送信する手段とを備えたことを特徴とする。
【０００９】
本発明の画像形成システムでは、画像を形成する複数の画像形成装置と、該画像形成装置と通信を行うデータ通信装置と、該データ通信装置と公衆回線を介して接続された管理装置とを備えた画像形成システムにおいて、前記データ通信装置は、前記管理装置と通信を行う第１の通信手段と、前記複数の画像形成装置と通信を行う第２の通信手段と、前記第１の通信手段を介して前記管理装置から、前記画像形成装置の制御データと該制御データが送信されるべき画像形成装置を表す識別データとを受信し、前記識別データに対応した画像形成装置へ前記制御データを前記第２の通信手段を介して送信する手段と、前記送信した制御データに基づいた画像形成装置の管理データを受信する手段と、前記受信した複数の画像形成装置の管理データを前記第１の通信手段を介して前記管理装置へ一括して送信する手段とを備えたことを特徴とする。
【００１０】
本発明のデータ通信方法では、管理装置から、被管理装置の制御データと該制御データが送信されるべき被管理装置を表す識別データとを受信し、その識別データに対応した被管理装置へ前記制御データを送信する行程と、前記送信した制御データに基づいた被管理装置の管理データを受信する行程と、前記受信した複数の被管理装置の管理データを前記管理装置へ一括して送信する行程とを有することを特徴とする。
【００１１】
本発明の制御プログラムでは、コンピュータで実行可能な制御プログラムであって、管理装置から、被管理装置の制御データと該制御データが送信されるべき被管理装置を表す識別データとを受信し、その識別データに対応した被管理装置へ前記制御データを送信するステップと、前記送信した制御データに基づいた被管理装置の管理データを受信するステップと、前記受信した複数の被管理装置の管理データを前記管理装置へ一括して送信するステップとを有することを特徴とする。
【００１２】
【発明の実施の形態】
以下、本発明の実施の形態を図面に基づいて説明する。
【００１３】
＜画像形成システムの全体構成＞
図１は、本発明の実施の一形態に係る画像形成システムの全体的構成を示すブロック図である。
【００１４】
この画像形成システムは、原稿を指定枚数複写する画像形成装置１００を複数備え、これら画像形成装置１００は例えば事業所等の規模が大きい場所に設置される。この各画像形成装置１００にそれぞれ接続された通信制御装置１０１は、制御部４００と無線子局４１０を有し、データの送受信を行い、本発明のデータ通信装置である集中管理装置１０５へ無線通信にて管理データを送信する。集中管理装置１０５からホストコンピュータ１０４へのデータ送信は、公衆回線１０２を使用し、ホストコンピュータ１０４は、画像形成装置１００からのデータに基づいて画像形成装置１００の診断を行う。１０３は、デジタルデータの送受信を可能とするモデムである。
【００１５】
＜画像形成装置１００の電気的構成＞
図２は、図１に示した画像形成装置１００の電気的構成図である。
【００１６】
ＣＰＵ２００は全体の制御を行っている。ＲＡＭ２０１はＣＰＵ２００のワーキングエリアや制御データの格納エリアとして使用される。ＲＯＭ２０２は制御プログラムを格納するためのメモリであり、センサＩ／Ｏ２０３及びモータＩ／Ｏ２０４はセンサチェックやモータ駆動を行うためのＩ／Ｏであり、通信Ｉ／Ｏ２０５は通信制御装置１０１と通信を行うためのＩ／Ｏである。
【００１７】
＜画像形成装置１００のソフト構成＞
図３は、画像形成装置１００のソフト構成図である。
【００１８】
リアルタイムモニタ３００は、複数のタスクを同時に管理するためのものであり、紙搬送タスク３０１は、１枚の紙について給紙から排紙までを制御するタスクであり、シーケンス制御タスク３０２は画像形成装置全体の管理を行うタスクであり、通信タスク３０３は通信制御装置１０１と通信を行うためのタスクである。
【００１９】
＜通信制御装置１０１の構成＞
図４は、通信制御装置１０１の内部構成を示す構成図である。
【００２０】
制御部４００は、ＣＰＵ４０１により制御され、ＣＰＵ４０１が動作するときにワーキングエリアとして使用されるＲＡＭ４０２と、ＣＰＵ４０１が実行するプログラムを格納するＲＯＭ４０３と、画像形成装置１００とデータを送受信する通信Ｉ／Ｏ４０４と、無線子局４１０へデータ通信するための無線通信Ｉ／Ｏ４０５とを有する。
【００２１】
ＲＡＭ４０７は、ジャム情報、エラー情報及び各種の複写回数カウンタ値を記憶しておくためのもので、バッテリーバックアップされている。無線子局４１０は、ＣＰＵ４１１によって制御され、ＰＨＳの無線通信回線１回線分（３２ｋｂｐＳ）の通信路を用いて、２９．２ｋｂｐＳの実行速度のデータ通信を行うＰＩＡＦＳ用制御ＣＰＵ４１２と、ＲＡＭ４１３と、ＥＥＰＲＯＭ４１４と、無線を送受する無線部４１５と、制御部４００と通信する制御装置通信Ｉ／Ｏ４１９から構成され、無線部４１５は送信部４１６、受信部４１７及びアンテナ４１８から成る。
【００２２】
無線子局４１０は、受信した信号を検波しデジタル信号に変換することが可能で、デジタル信号を無線データに変換し送信することが可能である。すなわち、ホストコンピュータ１０４から画像形成装置１００のデータ要求があった場合には、集中管理装置１０５を介して、無線部４１５内の受信部４１７は受信した信号を検波し、デジタル信号に変換し制御部４００内のＣＰＵ４０１に知らせる。また、制御部４００からホストコンピュータ１０４に画像形成装置１００のデータを送信する場合には、デジタル信号を無線データに変換して集中管理装置１０５に送信し、集中管理装置１０５を介して、ホストコンピュータ１０４へ画像形成装置１００のデータを送信する。
【００２３】
また、制御部４００は、表示装置４２０と接続可能な表示通信Ｉ／Ｏ４０６と、プリンタと接続可能なプリンタＩ／Ｏ４０９と、時刻を管理するタイマＩＣ４０８とを有している。
【００２４】
＜画像形成装置１００と通信制御装置１０１との間の通信コマンド＞
図５は、画像形成装置１００と通信制御装置１０１との間の通信コマンドの一例を示す図である。
【００２５】
ＩＤでコマンドの種類を表し、ｌｅｎｇｔｈでデータ長を表し、Ｓｕｍは通信エラー検出用である。図５に示した通信コマンドは、排紙時のカウントパルス（ＩＤ＝１）と、ジャム（ＩＤ＝２）がそれぞれの画像形成装置１００で発生した時に通信制御装置１０１に送信されるデータである。通信制御装置１０１側で、排紙時のカウントパルスをカウントすることにより複写枚数が分かり、ジャムの場合にはジャムコードによりジャムの種類が分かる。
【００２６】
＜通信制御装置１０１のプログラム構成＞
図６は、通信制御装置１０１のＣＰＵ４０１によって実行されるプログラムの構成を示す図である。
【００２７】
リアルタイムモニタ６００は、複数のタスクを同時に管理するためのものである。状態監視タスク６０１は、画像形成装置１００の状態を常に監視している。無線通信監視タスク６０２は、送受信を可能とするために無線子局４１０の制御を行っている。送信タスク６０３は、集中管理装置１０５にデータを送信するためのものであり、受信タスク６０４は、集中管理装置１０５からのデータを受信するためのものである。
【００２８】
＜集中管理装置１０５の構成＞
図７は、本発明のデータ通信装置である集中管理装置１０５の内部構成を示す構成図である。
【００２９】
集中制御部７００は、ＣＰＵ７０１により制御され、ＣＰＵ７０１が動作するときにワーキングエリアとして使用されるＲＡＭ７０２と、ＣＰＵ７０１が実行するプログラムを格納するＲＯＭ７０３と、無線基地局７１０へデータ通信するための無線基地通信Ｉ／Ｏ７０４と、モデム１０６と通信するモデム通信Ｉ／Ｏ７０５と、ホストコンピュータ１０４と公衆回線１０２を介してデータ通信を行うモデム７０６とを有する。ＲＡＭ７０９は、通信制御装置１０１の登録状態及び機種ＩＤを記憶しており、バッテリーバックアップされている。
【００３０】
無線基地局７１０は、当該無線基地局７１０を制御するＣＰＵ７１１と、ＰＨＳの無線通信回線１回線分（３２ｋｂｐＳ）の通信路を用いて２９．２ｋｂｐＳの実行速度のデータ通信を行うＰＩＡＦＳ用制御のＣＰＵ７１２と、ＲＡＭ７１３と、ＥＥＰＲＯＭ７１４と、集中制御部７００と、データ通信Ｉ／Ｏ７１５と、無線を送受する無線部７１６とから構成されている。無線部７１６は、送信部７１７、受信部７１８、及びアンテナ７１９から成る。
【００３１】
無線基地局７１０は、待ち受けでは報知信号を発信し、無線子局４１０は、受信した報知信号を検波しデータの送受信が可能な状態になる。また、受信されたデータをデジタル信号に変換することが可能であると共に、デジタル信号を無線データに変換して送信することも可能である。
【００３２】
また、集中制御部７００は、表示装置７２０を接続可能な表示通信Ｉ／Ｏ７０７と、プリンタと接続可能なプリンタ接続Ｉ／Ｏ７０８とを有している。
【００３３】
＜集中管理装置１０５内の状態テーブル＞
図８は、集中管理装置１０５内のＲＡＭ７０９に記憶されている通信制御装置１０１の状態テーブルを表す図である。
【００３４】
図中の「ＰＨＳ　ＩＤ」は、無線基地局７１０に記憶できる無線子局４１０のポートを表し、状態テーブル内の「登録状態」は、各ポートに対して画像形成装置１００が接続されているか否かを示すものである。「機種ＩＤ」は画像形成装置１００の機種を表す識別子である。
【００３５】
＜集中管理装置１０５のプログラム構成＞
図９は、集中管理装置１０５のＣＰＵ７０１によって実行されるプログラムの構成を示す図である。
【００３６】
リアルタイムモニタ９００は、複数のタスクを同時に管理するためのものであり、無線通信監視タスク９０１は送受信を可能とするために無線基地局７１０の制御を行っている。送信タスク９０２は、ホストコンピュータ１０４にデータを送信するためのものであり、受信タスク９０３は、ホストコンピュータ１０４からの被呼に対するデータを受信するためのものである。
【００３７】
＜集中管理装置１０５の受信タスク＞
図１０は、集中管理装置１０５の受信タスクの処理を示すフローチャートである。なお、この図１０のフローチャートに従ったプログラムコードをＲＯＭ７０３に格納し動作することにより、次の制御方法を実現させることが可能となる。
【００３８】
まずステップＳ１０でホストコンピュータ１０４から被呼され、正常に有線接続された場合は、ステップＳ１１でパスワードチェックを行い、パスワードのチェックがＯＫか否かを判別する。パスワードのチェックがＯＫでない場合は回線を切断し処理を終了する。
【００３９】
パスワードのチェックがＯＫとなると、ステップＳ１２でホストコンピュータ１０４が必要とする管理データに対応した機種ＩＤをホストコンピュータ１０４から受信する。機種ＩＤを受信すると、集中管理装置１０５はステップＳ１３で、状態テーブルを参照して当該機種ＩＤが登録されているか否かを判別する。登録されていない場合（ステップＳ１７）は、機種ＩＤ未登録の旨を示す情報をホストコンピュータ１０４へ送信し、その機種ＩＤに対する処理を終了する。
【００４０】
機種ＩＤが登録されている場合は、ステップＳ１４で機種ＩＤに対する画像形成装置１００の制御データをホストコンピュータ１０４から受信し、集中制御部７００のＲＡＭ７０９内に格納する。ステップＳ１５で他の機種ＩＤの制御データがあるか否かを判別する。他の機種ＩＤに対する制御データがある場合は、ステップＳ１２に戻り上記動作を繰り返す。ホストコンピュータ１０４から制御データの送信が全て終了したら、ステップＳ１６で回線を切断する。
【００４１】
＜集中制御装置１０５の制御データ取得後の処理＞
図１１は、集中管理装置１０５のＲＡＭ７０９内に画像形成装置の制御データが格納された後の処理を表すフローチャートである。なお、この図１１のフローチャートに従ったプログラムコードをＲＯＭ７０３に格納し動作することにより、次の制御方法を実現させることが可能となる。
【００４２】
ホストコンピュータ１０４から制御データを取得したことをＣＰＵ７０１が認識すると、ステップＳ１００で制御データの存在する機種ＩＤを抽出する。ステップＳ１０１で各機種ＩＤの制御データに対応する画像形成装置１００の管理データが取得されているか否かを判別する。管理データが取得されていない場合は、ステップＳ１０２で機種ＩＤに対応するＰＨＳ　ＩＤを基に通信制御装置１０１へ無線接続する。
【００４３】
次のステップＳ１０３で無線接続が確立したか否かを判別し、無線接続が確立した場合には、ステップＳ１０４で制御データを通信制御装置１０１へ送信する。これを受けて通信制御装置１０１は当該制御データに基づいた画像形成装置１００の管理データを集中管理装置１０５へ送信するので、集中管理装置１０５は、これを受信し（ステップＳ１０５）、受信した管理データをＲＡＭ７０９へ格納し、その後、ステップＳ１０６で無線を切断し、その機種ＩＤに対する処理は終了となる。そして、ステップＳ１０１へ戻り、さらに未取得の管理データがあれば上記動作を繰り返す。
【００４４】
また、ステップＳ１０３で無線接続が確立せずに制御データを正常に送信できない場合は、ステップＳ１０７でＲＡＭ７０９に格納されているリトライカウンタに１を加算する。そして、ステップＳ１０８でリトライカウンタが５０回に到達したか否かを判別する。５０回に到達していない場合は、管理データ未取得をＲＡＭ７０９に格納し（ステップＳ１０９）、上記ステップＳ１０１へ戻りリトライ回数が５０になるまで上記動作を繰り返す。リトライが５０回に達した場合（ステップＳ１１０）はリトライオーバーとなり、管理データ取得失敗をＲＡＭ７０９に格納し、この機種ＩＤに対しては処理終了となる。制御データに対応する管理データが全て集中管理装置１０５に格納されると、集中管理装置１０５は、ホストコンピュータ１０４に公衆回線１０２を介して電話を掛けて管理データを送信する。
【００４５】
＜ホストコンピュータ１０４の構成＞
図１２は、ホストコンピュータ１０４の構成を示すブロック図である。
【００４６】
ＣＰＵ１２００は、ホストコンピュータ１０４全体を制御するものである。ＲＡＭ１２０１には、ＣＰＵ１２００が画像形成装置１００の管理を行うためのプログラムやデータが格納されている。ハードディスク１２０２は、受信したデータを保存しておくものであり、画像形成装置１００側から受信したカウンタデータ、ジャムデータ等はここに保存されている。
【００４７】
キーボード１２０３は、オペレータが各種の指示を与えるための入力装置であり、ディスプレイ装置１２０４は、ホストコンピュータ１０４が情報を出力するための出力装置である。シリアルポート１２０５は、モデム１０３とデータ送受信するためのものである。
【００４８】
＜ホストコンピュータ１０４における処理＞
図１３は、ホストコンピュータ１０４における処理を示すフローチャートである。この図１３に示す処理ルーチンは、ＲＡＭ１２０１に格納されている制御プログラムに従ってＣＰＵ１２００により実行される。
【００４９】
通常、ホストコンピュータ１０４は、モデム１０３からの着信信号を待っており、まずステップＳ３００でモデム１０３からの着信信号があったか否かを判別する。そして、モデム１０３からの着信信号があった場合には、ステップＳ３０１でパスワードチェックがＯＫか否かを判別する。チェックＯＫである場合には、ステップＳ３０２で機種ＩＤを受信する。機種ＩＤの受信完了後、ステップＳ３０３でその機種ＩＤに対する管理データを受信し、ステップＳ３０４でハードディスク１２０２へ格納する。１つの機種ＩＤに対しての管理データを受信完了後、ステップＳ３０５でその他の機種ＩＤに対する管理データの未取得があるか否かを判別する。未取得の管理データがある場合には、ステップＳ３０２へ戻り上記動作を繰り返す。管理データの未取得がなくなると、ステップＳ３０６で回線断処理を行った後、ホストコンピュータ１０４で管理データを基に診断が行われる。
【００５０】
このように本実施形態によれば、遠隔地のホストコンピュータ１０４から１つの回線を介して所望の複数の画像形成装置１００へまとめて制御データを送信することが可能であるだけでなく、複数の画像形成装置１００からホストコンピュータ１０４へまとめて管理データを送信することも可能であるため、接続時間及び通信費用の大幅な削減が可能となる。
【００５１】
また、無線接続の異常切断等の電波状態に左右されることなく、ホストコンピュータ１０４と被画像形成装置１００とのデータ通信を円滑に行うことができる。
【００５２】
なお、本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００５３】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００５４】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００５５】
【発明の効果】
以上詳細に説明したように本発明によれば、遠隔地の管理装置から１つの回線を介して所望の複数の被管理装置へまとめて制御データを送信することが可能であるだけでなく、複数の被管理装置から管理装置へまとめて管理データを送信することも可能であり、また電波状態に左右されることなく管理装置と被管理装置とのデータ通信を円滑に行うことが可能になる。
【図面の簡単な説明】
【図１】本発明の実施の一形態に係る画像形成システムの全体的構成を示すブロック図である。
【図２】図１に示した画像形成装置１００の電気的構成図である。
【図３】画像形成装置１００のソフト構成図である。
【図４】通信制御装置１０１の内部構成を示す構成図である。
【図５】画像形成装置１００と通信制御装置１０１との間の通信コマンドの一例を示す図である。
【図６】通信制御装置１０１のＣＰＵ４０１による実行されるプログラムの構成を示す図である。
【図７】本発明のデータ通信装置である集中管理装置１０５の内部構成を示す構成図である。
【図８】集中管理装置１０５内に記憶されている通信制御装置の状態テーブルを表す図である。
【図９】集中管理装置１０５のＣＰＵによって実行されるプログラム構成を示す図である。
【図１０】集中管理装置１０５の受信タスクの処理を示すフローチャートである。
【図１１】集中管理装置１０５に制御データが格納された後の処理を表すフローチャートである。
【図１２】ホストコンピュータ１０４の構成を示すブロック図である。
【図１３】ホストコンピュータ１０４における処理を示すフローチャートである。
【符号の説明】
１００　画像形成装置
１０１　通信制御装置
１０２　公衆回線
１０３　モデム
１０４　ホストコンピュータ
１０５　集中管理装置
７００　集中制御部
７０１　ＣＰＵ
７０２　ＲＡＭ
７０３　ＲＯＭ
７１０　無線基地局
【図１】
2004080495.tif 000003
【図２】
2004080495.tif 000004
【図３】
2004080495.tif 000005
【図４】
2004080495.tif 000006
【図５】
2004080495.tif 000007
【図６】
2004080495.tif 000008
【図７】
2004080495.tif 000009
【図８】
2004080495.tif 000010
【図９】
2004080495.tif 000011
【図１０】
2004080495.tif 000012
【図１１】
2004080495.tif 000013
【図１２】
2004080495.tif 000014
【図１３】
2004080495.tif 000015